(57)【要約】【課題】日本酒、焼酎、梅酒等のカップ酒に使用するためのカップ酒用容器であって、中蓋の開封後においても、外蓋の着脱によりいつでもで容器の密封・開封をすることができるカップ酒用容器カップを提供する。【解決手段】酒を収容するカップ状の容器本体１と、この容器本体１の口部を密封する金属製の中蓋２と、この中蓋２を覆うようにして容器本体１の口部に嵌合される合成樹脂製の外蓋３からなるカップ酒用容器において、前記外蓋３の外周部を断面Ｖ字状に屈曲させて屈曲部４を形成し、中蓋２を除去して外蓋３を直接に容器本体１の口部に嵌合したときに、前記屈曲部４が容器本体１の口部内周面に弾性的に密着可能とした。【選択図】図１
2009035314.tif 000002
【特許請求の範囲】
【請求項１】
酒を収容するカップ状の容器本体と、この容器本体の口部を密封する金属製の中蓋と、この中蓋を覆うようにして容器本体の口部に嵌合される合成樹脂製の外蓋からなるカップ酒用容器において、前記外蓋の外周部を断面Ｖ字状に屈曲させて屈曲部を形成し、中蓋を除去して外蓋を直接に容器本体の口部に嵌合したときに、前記屈曲部が容器本体の口部内周面に弾性的に密着可能としたことを特徴とするカップ酒用容器。
【請求項２】
外蓋は天板と、その周縁に垂設されるスカート部からなり、また容器本体の口部外周にはビード部が突設されており、前記スカート部の内面に、外蓋の天板を容器本体の口部から浮かせた状態として前記ビード部と係合する第１の係合用突部と、天板を容器本体の口部に密接させた状態として前記ビード部と係合する第２の係合用突部を設けたことを特徴とする請求項１に記載のカップ酒用容器。
【発明の詳細な説明】
【技術分野】
【０００１】
本発明は、日本酒、焼酎、梅酒等のカップ酒に使用するためのカップ酒用容器に関するものである。更に詳しくは、中蓋の開封後においても、外蓋の着脱によりいつでもで容器の密封・開封をすることができるカップ酒用容器に関するものである。
【背景技術】
【０００２】
従来から、日本酒、焼酎、梅酒等のカップ酒用容器として、特許文献１や特許文献２に示されるように、酒を収容するカップ状の容器本体と、この容器本体の口部を密封するアルミ製の蓋とからなるものが知られている。
また最近では、合成樹脂製の外蓋を前記中蓋を覆うように容器本体に嵌合する構造のカップ酒用容器も提案されている。この外蓋は、例えば前記中蓋を開封した後に、一時的に飲むのを中断する場合などに、容器内にゴミ等が入るのを防止するためのキャップとして使用されるものである。
【０００３】
図３は、すでに実用化されている外蓋を有するカップ酒用容器の一例を示すものであり、図において、２１は酒を収容するカップ状の容器本体、２２はこの容器本体２１の口部を密封するアルミ製の中蓋、２３はこの中蓋２２を覆うようにして容器本体２１に嵌合する合成樹脂製の外蓋である。このようなカップ酒用容器では、前記中蓋２２を開封して取り除いた後に、外蓋２３を容器の密封用キャップとして使用する。
【０００４】
図４に、中蓋２２を開封・除去後、外蓋２３を容器本体２１の口部に嵌合した状態を示す。この場合、外蓋２３の天板には容器本体２１の口部肉厚に相当する幅を残して凹部２４が形成されており、この凹部２４の縦壁部２５と口部内周面との接合、および天板と口部頂点部との密着によって密封性を保持する構造である。
しかしながら、容器本体１や外蓋２３の成形上わずかな寸法誤差が生じるため、設計通りのフラット面や真円形状を作ることが難しく、現実には外蓋２３により完全な密封性を保持することは困難であった。この結果、容器が転倒したりすると中の酒がこぼれてしまうという問題点があった。
【０００５】
その他、図５に示されるような、外蓋２３の外周部下面にリング状の挟持片２６を垂設し、この挟持片２６と外蓋２３の周縁に垂設したスカート部２７との間に容器本体２１の口部を挟んで密封性を保持するものも提案されている。しかし前述のものと同様、成形上の寸法誤差などによって、挟持片２６と口部内周面との接合を完全な密封状態にすることは難しく、液漏れを完全に防止することはできないというのが現状である。
【特許文献１】実公平１−４２５１８号公報
【特許文献２】特開平９−２０３５１号公報
【発明の開示】
【発明が解決しようとする課題】
【０００６】
本発明は上記のような問題点を解決して、外蓋が優れた密封性を発揮して、中蓋の開封・除去後においても、外蓋の着脱によりいつでも容器の密封・開封をすることができ、また容器が転倒しても中の酒がこぼれることがなく優れた使い勝手を発揮するカップ酒用容器を提供することを目的として完成されたものである。
【課題を解決するための手段】
【０００７】
上記課題を解決するためになされた本発明のカップ酒用容器は、酒を収容するカップ状の容器本体と、この容器本体の口部を密封する金属製の中蓋と、この中蓋を覆うようにして容器本体の口部に嵌合される合成樹脂製の外蓋からなるカップ酒用容器において、前記外蓋の外周部を断面Ｖ字状に屈曲させて屈曲部を形成し、中蓋を除去して外蓋を直接に容器本体の口部に嵌合したときに、前記屈曲部が容器本体の口部内周面に弾性的に密着可能としたことを特徴とするものである。
【０００８】
また、外蓋は天板と、その周縁に垂設されるスカート部からなり、また容器本体の口部外周にはビード部が突設されており、前記スカート部の内面に、外蓋の天板を容器本体の口部から浮かせた状態として前記ビード部と係合する第１の係合用突部と、天板を容器本体の口部に密接させた状態として前記ビード部と係合する第２の係合用突部を設けることが好ましく、これを請求項２に係る発明とする。
【発明の効果】
【０００９】
本発明のカップ酒用容器では、外蓋の外周部を断面Ｖ字状に屈曲させて屈曲部を形成し、中蓋を除去して外蓋を直接に容器本体の口部に嵌合したときに、前記屈曲部が容器本体の口部内周面に弾性的に密着可能としたので、中蓋の開封・除去後において、外蓋で容器を密封した場合に、成形上の寸法誤差があったとしても前記の屈曲部が容器本体の口部の内周面に弾性的に変形・密着して完全な密封状態を保持することとなり、中身の液漏れを防ぐことが可能となる。
【００１０】
また、外蓋の周縁に垂設したスカート部の内面に、第１の係合用突部と第２の係合用突部が設けてあるので、中蓋がある状態と中蓋を開封して除去した状態のいずれの場合も、外蓋は容器本体の口部にしっかりと嵌合されることとなる。
【発明を実施するための最良の形態】
【００１１】
以下に、図面を参照しつつ本発明の好ましい実施の形態を示す。
図１は、日本酒用のカップ型容器を示すものであって、図において、１は酒を収容するガラス製のカップ状の容器本体、２はこの容器本体１の口部を密封するアルミニウム等の金属製の中蓋、３はこの中蓋２を覆うようにして容器本体１に嵌合される合成樹脂製の外蓋である。なお、容器本体１の口部には外側へ向けて膨出するビード１ａが形成されており、金属製の中蓋２は外周縁部を前記ビード１ａの下面側に巻き込むように装着されている。
【００１２】
前記外蓋３は、天板３ａと、その周縁に垂設したスカート部３ｂで構成されており、更に、容器本体１の口部肉厚に相当する幅を残して外周部に天板３ａを断面Ｖ字状に屈曲させて屈曲部４が設けられている。そして、この屈曲部４を形成する外側の壁面５が容器本体１の口部内周面に弾性的に密着可能としてある。また、壁面５には外側へ向けて突出する膨出部５ａが設けてあり、口部内周面との密着性を更に向上させている。
【００１３】
前記外蓋３の周縁に垂設したスカート部３ｂの内面には、第１の係合用突部６ａと第２の係合用突部６ｂの二つの係合用突部が設けられている。
第１の係合用突部６ａは、中蓋２が未開封の状態にある時に、天板３ａを容器本体１の口部頂点から浮かせた状態として、外蓋３を容器本体１の口部外周に突設したビード部１ａと係合するためのものである。一方、第２の係合用突部６ｂは、中蓋２を開封・除去した後に、天板３ａを容器本体１の口部頂点に密接させた状態として、外蓋３を容器本体１の口部に覆った際、前記ビード部１ａと係合するためのものである。これら第１の係合用突部６ａと第２の係合用突部６ｂにより、中蓋２の開封・未開封のいずれの場合も、外蓋３が容器本体１の口部にしっかりと嵌合される構造となっている。
【００１４】
以上のように構成されたものでは、カップ酒として出荷・搬送したり、店頭で陳列等する場合は、図１に示すように、容器本体１の口部は中蓋２で密封されているため中身の酒が漏れることは一切ない。しかも、中蓋２を覆うようにして容器本体１に外蓋３が嵌合されているので、口部に埃やゴミ等が付着することもなく衛生的である。
次に、中蓋２を開封・除去した後において、飲むのを一時的に中断する場合もあるが、この時は、図２に示すように、容器本体１の口部を外蓋３で再び密封すれば、外蓋３の外周部下面に天板３ａを屈曲させて断面Ｖ字状の屈曲部４が設けられ、この屈曲部４を形成する外壁面５が容器本体１の口部の内周面に弾性的に密着して密封性を保持することとなる。この結果、容器の傾斜や転倒があっても酒が漏洩するのを確実に防止することとなる。なお、再び飲みたい場合は、外蓋３を外せば自由に飲むことができる。
【００１５】
以上の説明からも明らかなように、本発明は外蓋の外周部を断面Ｖ字状に屈曲させて屈曲部を形成し、中蓋を除去して外蓋を直接に容器本体の口部に嵌合したときに、前記屈曲部が容器本体の口部内周面に弾性的に密着可能とした構造であり、外蓋が優れた密封性を発揮するので、中蓋の開封・除去後においても、外蓋の着脱によりいつでも容器の密封・開封をすることができ、また容器が転倒しても中の酒がこぼれることがなく優れた使い勝手を発揮することができる。
【図面の簡単な説明】
【００１６】
【図１】本発明の実施の形態を示す要部の断面図である。
【図２】図１で中蓋を外し外蓋で再び閉蓋した状態を示す要部の断面図である。
【図３】従来例を示す要部の断面図である。
【図４】図３で中蓋を外し外蓋で再び閉蓋した状態を示す要部の断面図である。
【図５】その他の従来例を示す要部の断面図である。
【符号の説明】
【００１７】
１  容器本体
２  中蓋
３  外蓋
３ａ  天板
３ｂ  スカート部
４  屈曲部
５  壁面
６ａ  第１の係合用突部
６ｂ  第２の係合用突部
【図１】
2009035314.tif 000003
【図２】
2009035314.tif 000004
【図３】
2009035314.tif 000005
【図４】
2009035314.tif 000006
【図５】
2009035314.tif 000007